(57)【要約】【課題】円筒状のヨークの上または下半分を切り取って半円筒状にすることによって、省スペース化を可能にする。【解決手段】アイリス装置１は、互いに逆方向にスライドして絞り開口を可変する第１，第２の絞り羽根２，３と、第１，第２の絞り羽根２，３を逆方向にスライドさせる回動アーム４と、回動アーム４を回動操作するアクチュエータ５と、を備えている。アクチュエータ５は、出力軸６を設けたロータマグネット７と、ロータマグネット７を回転自在に内周側に配置したコイル８と、コイル８の外周に配置されたヨーク９と、を備えている。コイル８は、第１，第２の絞り羽根２，３のスライド方向と直交する方向に巻線の巻き方向を向けて配置されている。【選択図】図１
2007156283.tif 000002
【特許請求の範囲】
【請求項１】
互いにスライドして絞り開口を可変する第１，第２の絞り羽根と、前記第１，第２の絞り羽根を逆方向にスライドさせる回動アームと、前記回動アームを回動操作するアクチュエータと、を備え、
前記アクチュエータは、出力軸を設けたロータマグネットと、該ロータマグネットを回転自在に内周側に配置した扁平な枠形のコイルと、該コイルの外周に配置されたヨークと、を備えてなるアイリス装置において、
前記コイルは、巻線の巻き方向を前記第１，第２の絞り羽根のスライド方向と直交する方向に向けて配置されていることを特徴とするアイリス装置。
【請求項２】
前記回動アームは、前記コイルの前記第１，第２の絞り羽根のスライド方向と直交する方向に位置する２つの面のうちの何れか一方の面側からボビンの外部に突出する第１のアーム部と、該第１のアーム部の先端から互いに逆方向に延びる第２，第３のアーム部と、を備え、
前記第２のアーム部は、前記第１の絞り羽根に係合する第１の係合部を先端部に備え、前記第３のアーム部は、前記第２の絞り羽根に係合する第２の係合部を先端部に備えていることを特徴とする請求項１に記載のアイリス装置。
【請求項３】
前記ヨークは、前記第１，第２の絞り羽根のスライド方向と直交する方向に位置する前記コイルの２つの面のうちの何れか一方の面側を覆って、他方の面側を露出させていることを特徴とする請求項１に記載のアイリス装置。
【請求項４】
前記コイルは、断面略四角形の巻線をボビンの外周に巻回することにより形成されていることを特徴とする請求項１に記載のアイリス装置。
【請求項５】
アイリス装置を備えたレンズ鏡筒であって、
前記アイリス装置は、互いにスライドして絞り開口を可変する第１，第２の絞り羽根と、前記第１，第２の絞り羽根を逆方向にスライドさせる回動アームと、前記回動アームを回動操作するアクチュエータと、を備え、
前記アクチュエータは、前記出力軸を設けたロータマグネットと、該ロータマグネットを回転自在に内周側に配置したコイルと、該コイルの外周に配置されたヨークと、を備え、
前記コイルは、巻線の巻き方向を前記第１，第２の絞り羽根のスライド方向と直交する方向に向けて配置されていることを特徴とするレンズ鏡筒。
【発明の詳細な説明】
【技術分野】
【０００１】
本発明は、アイリス装置および該アイリス装置を備えたレンズ鏡筒に関するものである。
【背景技術】
【０００２】
アイリス装置として、図１７に示すように、互いに逆方向にスライドして絞り開口を可変する第１，第２の絞り羽根１０１，１０２と、前記第１の絞り羽根１０１に設けた第１のピン係合長孔１０１ａに係合する第１の係合ピン１０３ａを一端部に備え、他端部に前記第２の絞り羽根１０２に設けた第２のピン係合長孔１０１ｂに係合する第２の係合ピン１０３ｂを備え中央部に設けた軸受部１０３ｃを中心に回動させることにより前記第１，第２の絞り羽根１０１，１０２を逆方向にスライドさせる略コ字状の回動アーム１０３と、前記軸受部１０３ｃを出力軸１０４ａに取付けることにより前記回動アーム１０３を回動操作するアクチュエータ１０４と、を備えていて、前記アクチュエータ１０４で前記回動アーム１０３を一方向に回動させると、前記第１の絞り羽根１０１と第２の絞り羽根１０２が重合度を増す方向にスライドして、これら第１の絞り羽根１０１と第２の絞り羽根１０２の間に形成される絞り開口が閉じられて行き、前記回動アーム１０３を他方向に回動させると、前記第１の絞り羽根１０１と第２の絞り羽根１０２が重合度を減ずる方向にスライドして、前記絞り開口が開かれて行くようにしたものが知られている。前記アクチュエータ１０４には、モータが使用されている。なお、第１，第２の絞り羽根１０１，１０２は、両側部に設けた複数のスライドガイド孔１０１ｂ…１０１ｂ、１０２ｂ…１０２ｂに絞り羽根取付板１０５の一側面の両側部に設けたスライドガイドピン１０６…１０６を挿入することにより前記絞り羽根取付板１０５の内面にスライド可能に取付けられている。また、回動アーム１０３の第１の係合ピン１０３ａは、前記絞り羽根取付板１０５に設けた円弧状の第１のピン挿入孔１０７を介して前記第１の絞り羽根１０１に設けた第１のピン係合長孔１０１ａに係合し、第２の係合ピン１０３ｂは、前記絞り羽根取付板１０５に設けた円弧状の第２のピン挿入孔１０８を介して前記第２の絞り羽根１０２に設けた第２のピン係合長孔１０２ａに係合している（例えば特許文献１）。
【０００３】
また、アクチュエータ１０４Ａとして、図１８に示すように、出力軸１１１を設けたロータマグネット１１２と、該ロータマグネット１１２を回転自在に内周側に配置したされたコイル１１３と、該コイル１１３の外周に配置されたヨーク１１４と、で構成したものが使用されている。このアクチュエータ１０４Ａにおいても、回動アーム１０３Ａは先に説明した回動アーム１０３と略同様に形成されている。
【特許文献１】特開２０００−３５２７３６号公報
【発明の開示】
【発明が解決しようとする課題】
【０００４】
ところで、図１８に示すように、従来のアクチュエータ１０４Ａにおいては、ヨーク１１４を円筒状に形成していたために、円筒状のヨーク１１４の存在によって多くのスペースを取られてしまう。ヨーク１１４によって多くのスペースが取られるのを防止する為には、例えば、図１９に示すように、円筒状のヨーク１１４の上半分を切り取って半円筒状にすることも考えられるが、コイル１１３が残るため省スペース化の効果が少ない。また、図２０に示すように、円筒状のヨーク１１４の右半分を切り取って半円筒状にすることも考えられるが、この場合、鏡筒実装時の省スペース化を考えると、その効果が薄いという問題点があった。
【０００５】
本願発明の目的は、簡単な構造で顕著な省スペース化の効果を得ることのできるアイリス装置およびレンズ鏡筒を提供することにある。
【課題を解決するための手段】
【０００６】
本発明のアイリス装置は、互いにスライドして絞り開口を可変する第１，第２の絞り羽根と、前記第１，第２の絞り羽根を逆方向にスライドさせる回動アームと、前記回動アームを回動操作するアクチュエータと、を備え、前記アクチュエータを、出力軸を設けたロータマグネットと、該ロータマグネットを回転自在に内周側に配置した扁平な枠形のコイルと、該コイルの外周に配置されたヨークと、で構成したアイリス装置において、前記コイルの巻線の巻き方向を前記第１，第２の絞り羽根のスライド方向と直交する方向に向けて配置した。
【０００７】
前記回動アームを、前記ロータマグネットの出力軸に設けられ前記第１，第２の絞り羽根のスライド方向に延びて前記コイルの外部に突出する第１のアーム部と、該第１のアーム部の先端から互いに逆方向に延びる第２，第３のアーム部と、で構成し、前記第２のアーム部の先端部に前記第１の絞り羽根に係合する第１の係合部を設け、前記第３のアーム部の先端部に前記第２の絞り羽根に係合する第２の係合部を設けた。
【０００８】
また、前記ヨークによって、前記コイルの前記第１，第２の絞り羽根のスライド方向と直交する方向に位置するコイルの２つの面のうちの何れか一方の面側を覆い、他方の面側を露出させた。
【発明の効果】
【０００９】
本発明のアイリス装置は、前記コイルの巻線の巻き方向を、前記第１，第２の絞り羽根のスライド方向と直交する方向に向けて配置したので、前記第１，第２の絞り羽根のスライド方向の肉厚は薄くなり（コイルは巻線の巻き方向の肉厚が大で、巻線の巻き方向に直交する方向の肉厚が小である）、従って、円筒状のヨークの半部を切り欠いてヨークを半円筒状に形成した場合でも、前記コイルがヨークから突き出るのを防止することができる。
【００１０】
前記回動アームの第１のアーム部を前記コイルの２つの面のうちの何れか一方の面側からコイルの外部に突出させて、該第１のアーム部の先端から互いに逆方向に第２，第３のアーム部を延ばす構成にしたので、ロータマグネットの出力軸の真横にコイルが在る場合でも、該コイルを迂回して、前記第２，第３のアーム部をコイルの外側に延ばすことができる。
【００１１】
前記ヨークを略半円筒状に形成し、前記第１，第２の絞り羽根のスライド方向と直交する方向に位置するコイルの２つの面のうちの何れか一方の面側を覆ったので、ヨークで覆われていない他方の面側のスペースを有効に利用することができる。
【発明を実施するための最良の形態】
【００１２】
図１〜図７は第１実施例のアイリス装置を示す。図１は絞り開口を最も開いた状態を示す斜視図、図２は絞り開口を半開させた状態の斜視図、図３は絞り開口を完全に閉じた状態の斜視図、図４はアクチュエータの断面図である。アイリス装置１は、互いに逆方向にスライドして絞り開口を可変する第１，第２の絞り羽根２，３と、これら第１，第２の絞り羽根２，３を互いに異なる方向にスライドさせる回動アーム４と、回動アーム４を回動操作するアクチュエータ５と、を備えている。
【００１３】
前記アクチュエータ５は、出力軸６を設けたロータマグネット７と、該ロータマグネット７を回転自在に内周側に配置したコイル８と、該コイル８の外周に配置されたヨーク９と、を備えている。前記コイル８は、断面略四角形の巻線（角線）８ａを扁平な枠形のボビン８ｂの外周に巻き付け、或いは図５に示すように、巻線８ａを予め空芯巻きした後にボビン８ｂに取付けることにより形成される。巻線８ａに角線を使用したのは占積率を向上させるためである。
【００１４】
前記コイル８は、前記巻線８ａの巻き方向を前記第１，第２の絞り羽根２，３のスライド方向Ｓ１，Ｓ２と直交する方向に向けた状態、換言すればコイル８の厚みＴ方向を前記第１，第２の絞り羽根２，３のスライド方向Ｓ１，Ｓ２に向けた状態で配置されている。
【００１５】
図１に示すように、前記回動アーム４は、前記出力軸６から前記コイル８の下方に延びて該コイル８の前記第１，第２の絞り羽根２，３のスライド方向Ｓ１，Ｓ２と直交する方向に位置する２つの面８ｃ，８ｄのうち下方の面８ｄ側から外部に突出する第１のアーム部４ａと、該第１のアーム部４ａの先端から前記出力軸６を中心にして略円弧状に互いに反対方向に延びる第２，第３のアーム部４ｂ，４ｃと、を備えている。
【００１６】
前記第２のアーム部４ｂの先端には、前記第１，第２の絞り羽根２，３のスライド方向Ｓ１，Ｓ２と直交する方向に延びるピン状の第１の係合部４ｄが設けられている。また、前記第３のアーム部４ｃの先端には、前記第１の係合部４ｄと動方向に延びるピン状の第２の係合部４ｅが設けられている。
【００１７】
前記第１の係合部４ｄは、前記第１の絞り羽根２の上端部に設けた前記第１，第２の絞り羽根２，３のスライド方向Ｓ１，Ｓ２と直交する方向に伸びる長孔状の第１のピン係合部２ａに係合している。また、前記第２の係合部４ｅは、前記第２の絞り羽根３の上端部に、前記第１，第２の絞り羽根２，３のスライド方向Ｓ１，Ｓ２と直交する方向に伸びる長孔状の第２のピン係合部３ａに係合している。
【００１８】
前記第１，第２の絞り羽根２，３は、前記第１，第２のピン係合部２ａ、３ａの下方に前記第１，第２の絞り羽根２，３のスライド方向Ｓ１，Ｓ２に伸びるスライドガイド孔２ｂ，３ｂを備えている。前記第１の絞り羽根２に設けたスライドガイド孔２ｂと、第２の絞り羽根３に設けたスライドガイド孔３ｂと、は互いに重なり合っている。そして、図６に示すように、これら互いに重なり合ったスライドガイド孔２ｂ，３ｂに絞り羽根取付け筐体２１に設けたガイド軸２２を挿入することにより、前記第１，第２の絞り羽根２，３は、前記絞り羽根取付け筐体２１にスライド可能に取付けられている。前記第１の絞り羽根２と第２の絞り羽根３の間には絞り開口２３が形成される。絞り羽根取付け筐体２１には前記絞り開口２３が臨む孔２４が形成されている。なお、図７は図６を背面側から見た斜視図であり、ヨーク９の端面には前記コイル８に電圧を印加する一対の端子２５，２６が設けられている。
【００１９】
図８，図９は、回動アーム４の変形例を示す。この変形例において、第２，第３のアーム部４ｂ，４ｃは、中央部で所定の角度θに折り曲げられた形状に形成されている。他の構成は、基本となる回動アーム４と同じであるので重複する説明は省略する。なお、第１のアーム部４ａを用いずに第２，第３のアーム部４ｂ，４ｃを直接、前記出力軸６から突出させてもよい。
【００２０】
次に、前記アイリス装置１の作用について説明する。図１に示すように、前記アクチュエータ５で前記回動アーム４を時計方向に最も回動させた状態にすると、前記第１の係合部４ｄは、前記長孔状の第１のピン係合部２ａの右端側に位置すると共に、前記第２の係合部４ｅは、前記長孔状の第２のピン係合部３ａの左端側に位置する。この状態において、前記絞り開口２３は、開口面積が最大になっている。この状態から前記回動アーム４を反時計方向に所定の角度回動させると、前記第１の係合部４ｄは、前記第１のピン係合部２ａの左端側に移動しながら前記第１の絞り羽根２を矢印Ｓ１方向にスライドさせる。一方、前記第２の係合部４ｅは、前記第２のピン係合部３ａの右端側に移動しながら前記第２の絞り羽根３を矢印Ｓ２方向にスライドさせて、図２に示すように、前記絞り開口２３の面積を徐々に縮小させて行く。更に、前記回動アーム４を反時計方向に所定の角度回動させると、前記絞り開口２３は、更に縮小して行き、終には図３に示すように、前記絞り開口２３を完全に閉じた状態にする。
【００２１】
図１０，図１１は、円筒状のヨークの上半部を切り欠いた半円筒状に前記ヨーク９を形成した第２実施例のアイリス装置を示す。前記ヨーク９は、図１１に示すように、上部側がロータマグネット７の接線Ｌよりも大きく切り欠かれ、かつコイル８の外周側を覆う形状に形成されている。なお、図１０において、破線は切り欠かれ部分を示す。この実施例においては、円筒状のヨークの上半部を切り欠いて半円筒状にヨーク９を形成したので、コイル８の上部側のスペースを有効に利用することが可能になる。他の構成は基本となる第１実施例と同じであるので重複する説明は省略する。
【００２２】
図１２，図１３は、円筒状のヨークの下半部を切り欠いた半円筒状に前記ヨーク９を形成した第３実施例のアイリス装置を示す。前記ヨーク９は、図１３に示すように、下部がロータマグネット７の接線Ｌよりも大きく切り欠かれ、かつコイル８の外周側を覆う形状に形成されている。この実施例においては、円筒状のヨークの下半部を切り欠いたような半円筒状にヨーク９を形成したので、コイル８の下部側のスペースを有効に利用することが可能になる。他の構成は基本となる第１実施例と同じであるので重複する説明は省略する。なお、上記実施例では、ヨーク９を半円筒状に形成した場合を示したが、ヨーク９は半円筒状に限らず、半四角筒状、その他の形状であってもよい。
【００２３】
図１４，図１５，図１６は、本発明のアイリス装置１を備えたレンズ鏡筒３１を示す。図１４は第１実施例のアイリス装置１を使用した第１実施例のレンズ鏡筒３１を示す。アイリス装置１は、前記絞り羽根取付け筐体２１を前記レンズ鏡筒３１の略中央部に挿入し、該絞り羽根取付け筐体２１に設けた孔２４および該孔２４に臨む絞り開口２３の中心をレンズ鏡筒３１の光軸に一致させるとともに、前記アクチュエータ５を、レンズ鏡筒３１の外部に突出させた状態でレンズ鏡筒３１に取付けられている。
【００２４】
図１５は第２実施例のアイリス装置１を使用した第２実施例のレンズ鏡筒３１を示す。この実施例において、前記ヨーク９の上半部が切り欠かれた状態になっているので、切り欠かれた部分のスペースを有効に利用することができる。他の構成は上記第１実施例のレンズ鏡筒の場合と同じである。
【００２５】
図１６は第３実施例のアイリス装置１を使用した第３実施例のレンズ鏡筒３１を示す。この実施例において、前記ヨーク９の下半部が切り欠かれた状態になっているので、切り欠かれた部分のスペースを利用して、前記アクチュエータ５をレンズ鏡筒３１の上面に接近させることができる。他の構成は上記第１実施例のレンズ鏡筒の場合と同じである。
【図面の簡単な説明】
【００２６】
【図１】絞り開口を最も開いた状態を示す斜視図。
【図２】絞り開口を半開させた状態の斜視図。
【図３】絞り開口を完全に閉じた状態の斜視図。
【図４】アクチュエータの断面図。
【図５】コイルの分解斜視図。
【図６】第１，第２の絞り羽根を絞り羽根取付け筐体に取付けた状態の斜視図。
【図７】図６を背面側から見た斜視図。
【図８】回動アームの変形例の斜視図。
【図９】回動アームの変形例の正面図。
【図１０】第２実施例のアイリス装置の要部の斜視図。
【図１１】第２実施例のアイリス装置の要部の正面図。
【図１２】第３実施例のアイリス装置の要部の斜視図。
【図１３】第３実施例のアイリス装置の要部の正面図。
【図１４】第１実施例のレンズ鏡筒の斜視図。
【図１５】第２実施例のレンズ鏡筒の斜視図。
【図１６】第３実施例のレンズ鏡筒の斜視図。
【図１７】従来例の斜視図。
【図１８】他の従来例の斜視図。
【図１９】他の従来例の斜視図。
【図２０】他の従来例の斜視図。
【符号の説明】
【００２７】
１…アイリス装置
２…第１の絞り羽根
３…第２の絞り羽根
４…回動アーム
４ａ…第１のアーム部
４ｂ…第２のアーム部
４ｃ…第３のアーム部
４ｄ…第１の係合部
４ｅ…第２の係合部
５…アクチュエータ
６…出力軸
７…ロータマグネット
８…コイル
８ａ…巻線（角線）
８ｂ…ボビン
９…ヨーク
２１…絞り羽根取付け筐体
２２…ガイド軸
２３…絞り開口
２４…絞り開口が臨む絞り羽根取付け筐体に設けられた孔
３１…レンズ鏡筒
【図１】
2007156283.tif 000003
【図２】
2007156283.tif 000004
【図３】
2007156283.tif 000005
【図４】
2007156283.tif 000006
【図５】
2007156283.tif 000007
【図６】
2007156283.tif 000008
【図７】
2007156283.tif 000009
【図８】
2007156283.tif 000010
【図９】
2007156283.tif 000011
【図１０】
2007156283.tif 000012
【図１１】
2007156283.tif 000013
【図１２】
2007156283.tif 000014
【図１３】
2007156283.tif 000015
【図１４】
2007156283.tif 000016
【図１５】
2007156283.tif 000017
【図１６】
2007156283.tif 000018
【図１７】
2007156283.tif 000019
【図１８】
2007156283.tif 000020
【図１９】
2007156283.tif 000021
【図２０】
2007156283.tif 000022